(57)【特許請求の範囲】
【請求項１】
負荷、とりわけ１つ又は複数のＬＥＤを含むＬＥＤユニットを駆動するためにドライバ装置を外部電源に接続するための接続回路であって、前記接続回路は、
−  前記接続回路を外部電源に接続し、前記外部電源から入力電圧を受け取るための第１の入力端子の対と、
−  前記接続回路を前記外部電源に接続し、前記外部電源から入力電圧を受け取るために適した少なくとも１つの第２の入力端子と、
−  前記第１の入力端子及び／又は前記少なくとも１つの第２の入力端子から受け取られる入力電圧を整流し、前記負荷を駆動するために前記ドライバ装置に整流電圧を与えるための、前記第１の入力端子の対及び前記少なくとも１つの第２の入力端子に接続される整流器ユニットと
を含み、
前記少なくとも１つの第２の入力端子が周波数フィルタを含む導電性経路によってのみ前記整流器ユニットに接続され、
前記整流器ユニットが３つの並列な整流器経路を含み、前記第１の入力端子が前記整流器経路の第１の経路及び第２の経路にそれぞれ接続され、前記少なくとも１つの第２の入力端子が整流器経路の第３の経路に接続される、接続回路。
【請求項２】
前記整流器経路のそれぞれが２つのダイオードを含み、前記第１の入力端子及び前記第２の入力端子が前記２つのダイオード間の１つのノードにそれぞれ接続される、請求項１に記載の接続回路。
【請求項３】
前記周波数フィルタが低周波入力電圧をフィルタするための高域フィルタである、請求項１に記載の接続回路。
【請求項４】
前記第１の入力端子が高域フィルタを介して互いに接続される、請求項１に記載の接続回路。
【請求項５】
前記周波数フィルタが、入力電圧を受け取るための第２の入力端子の対に接続される、請求項１に記載の接続回路。
【請求項６】
前記第２の入力端子の対が入力回路を介して前記周波数フィルタに接続され、前記入力回路が複数の抵抗を含む、請求項５に記載の接続回路。
【請求項７】
前記第１の入力端子の対が入力回路を介して前記整流器ユニットに接続され、前記入力回路が複数の抵抗を含む、請求項１に記載の接続回路。
【請求項８】
前記整流器ユニットが電磁干渉フィルタ装置を介して前記ドライバ装置に接続される、請求項１に記載の接続回路。
【請求項９】
前記電磁干渉フィルタ装置がインダクタンス及びコンデンサを含む、請求項８に記載の接続回路。
【請求項１０】
前記ドライバ装置が、前記負荷を駆動するための駆動電流を与えるためのＤＣ−ＤＣ変換器を含む、請求項１に記載の接続回路。
【請求項１１】
前記周波数フィルタが、前記少なくとも１つの第２の入力端子と前記整流器ユニットとの間で直列接続される２つのコンデンサを含む、請求項１に記載の接続回路。
【請求項１２】
前記第１の入力端子の対が幹線電圧源に接続される、請求項１に記載の接続回路。
【請求項１３】
前記第１の入力端子の対及び前記少なくとも１つの第２の入力端子が、高周波バラスト回路に接続される、請求項１乃至１２の何れか一項に記載の接続回路。
【請求項１４】
複数の照明素子、特に複数のＬＥＤと、前記照明素子を駆動するためのドライバ装置と、前記ドライバ装置を外部電源に接続するための請求項１乃至１３の何れか一項に記載の接続回路とを有する、照明装置。
【発明の詳細な説明】
【技術分野】
【０００１】
本発明は、負荷、とりわけ１つ又は複数のＬＥＤを含むＬＥＤユニットを駆動するためにドライバ装置を外部電源に接続するための接続回路に関する。更に、本発明は照明機器に関する。
【背景技術】
【０００２】
照明装置、とりわけレトロフィットランプ等の非直結利用のＬＥＤユニットの分野では、幾つかの関連機能の中で特に高効率、高出力密度、長寿命、高力率、低コスト、及び様々な供給電圧に対処するための解決策が求められている。レトロフィットランプとして蛍光（ＴＬ）ランプを置換するために様々なＬＥＤチューブ（ＴＬＥＤ）が使用されている。ＴＬ（Ｔ８）ランプの殆どが高周波バラストによって駆動され、瞬間点灯バラスト又はプログラムドスタートバラストが使用される。プログラムドスタートバラストは、寿命を延ばすためにランプを活性化する前にフィラメントを予熱するのに対し、瞬間点灯バラストはフィラメントの加熱を行わない。従って、レトロフィットＬＥＤランプが様々な駆動電圧に適合される必要がある。
【０００３】
レトロフィットＬＥＤランプを適切に動作させるために、レトロフィットＬＥＤランプの殆どは蛍光ランプの再配線、即ちバラストをバイパスすることによる再配線を必要とする。この再配線は複雑であり、本ドライバ回路のフィクスチャ（fixture）を必要とする。最も望ましい方法は、何も変えることなしに蛍光ランプをＬＥＤチューブで直接置換し、ＬＥＤランプの入力端子を高周波バラストの出力端子に接続することによるものである。しかし、このように直接置換することはバラスト内の大きな電力損を招き、ランプの効率を下げる。
【０００４】
ＴＬＥＤレトロフィットランプの更なる要求は、ＴＬＥＤランプが取り付けられるときの電気ショックを防ぐことである。入力端子が外部接続端子と電気的に接触することによる電気ショックを防ぐために、導電性経路が端から端まで与えられないように、ＴＬＥＤの一端で接続端子の接続を断つことが広く使われている。しかし、このピンセーフティソリューションは、上記の不都合を含む蛍光ランプのフィクスチャの再配線を必要とする。
【０００５】
国際公開第２０１３／０２４３８９  Ａ１号から、ドライバをバラストに接続し、ＬＥＤユニットを駆動するための整流電圧を与えるための整流器を有する、発光ダイオードランプ用の電子バラスト対応照明ドライバが知られている。しかし、ドライバ装置は既存のバラストにしか接続できないため、バラストの電力損が照明ユニットの効率を全般的に下げる。
【０００６】
米国特許出願公開第２０１０／０２０１２７０  Ａ１号から、異なるＡＣ電源をダイオードに接続するための２つの別々の入力接続を有する、ダイオードライトチューブ及びＡＣスイッチング電源が知られており、負荷に給電するためのＤＣ電圧を与えるために、異なる電源の接続端子が別々の整流器ユニットに接続されている。この文献から分かるドライバ装置の不都合は別々の整流器ユニットに起因する技術的労力が高まること、及び様々な入力端子間の電気的接続が行われることであり、そのため電気ショックの危険があり、別個のピンセーフティが必要である。
【０００７】
国際公開第２００９／１３６３２２号は、ＬＥＤユニットのドライバ装置を電源に接続するための接続回路を開示し、この回路は第１の入力端子、第２の入力端子、及び整流器ユニットを備える。第１の入力端子及び第２の入力端子はどちらも整流器に直接接続される。第１の端子の整流器ユニットとの一方の接続、及び第２の端子の整流器との他方の接続がコンデンサによってブリッジされる。この接続回路はバラストを有するフィクスチャでの使用に適しているが、他の電源との接続には適していない。更に、接続回路が不適当なフィクスチャ内で接続される場合、又は不適当に使用される場合は安全が保証されない。
【発明の概要】
【発明が解決しようとする課題】
【０００８】
従って本発明の目的は、少ない技術的労力且つ高効率で様々な電源に接続され得る、改善されたコネクタ装置及び改善された照明機器を提供することである。
【課題を解決するための手段】
【０００９】
本発明の一態様によれば、負荷、とりわけ１つ又は複数のＬＥＤを含むＬＥＤユニットを駆動するためにドライバ装置を外部電源に接続するための接続回路であって、
−  接続回路を外部電源に接続し、外部電源から入力電圧を受け取るための第１の入力端子の対と、
−  接続回路を外部電源に接続し、外部電源から入力電圧を受け取るのに適した少なくとも１つの第２の入力端子と、
−  第１の入力端子及び／又は少なくとも１つの第２の入力端子から受け取られる入力電圧を整流し、負荷を駆動するためにドライバ装置に整流電圧を与えるための、第１の入力端子の対及び少なくとも１つの第２の入力端子に接続される整流器ユニットと
を含み、
少なくとも１つの第２の入力端子が周波数フィルタを含む導電性経路によってのみ整流器ユニットに接続される、接続回路が提供される。
【００１０】
本発明の別の態様によれば、複数の照明要素、とりわけ複数のＬＥＤ、照明要素を駆動するためのドライバ装置、及びドライバ装置を外部電源に接続するための本発明による接続回路を含む、照明機器が提供される。
【００１１】
本発明は、様々な周波数を有する異なる供給電圧を与える様々な電源にドライバ装置を接続するための接続回路を提供する概念に基づく。様々な電源は、第１の入力端子及び第２の入力端子に接続されても良く、どちらの種類の電源が入力端子に接続されているかに応じて、整流器ユニットが第１の入力電圧及び第２の入力電圧を選択的に整流する。全ての入力端子が１つの整流器ユニットに接続されるため、電源は第１の入力端子に、又は第１の入力端子及び第２の入力端子に接続され得る。更に、第２の入力端子が周波数フィルタを介して整流器ユニットに接続されるため、第２の入力端子は幹線電圧等の低周波入力電圧から保護される一方、例えば高周波バラストからの高周波が第２の入力端子から整流器ユニットに与えられ得る。その結果、接続回路は幹線電圧及びＨＦバラスト電圧に適合し、そのため負荷がレトロフィットコンポーネントとして高い柔軟性で様々な電源に接続され得る。
【００１２】
好ましい実施形態では、整流器ユニットが３つの並列な整流器経路を含み、第１の入力端子が整流器経路の第１の経路及び第２の経路にそれぞれ接続され、少なくとも１つの第２の入力端子が整流器経路の第３の経路に接続される。整流器ユニットは３つの異なる整流器経路を含むため、外部電源が第１の入力端子に、又は第１の入力端子及び第２の入力端子の１つに柔軟に接続されても良く、入力電圧が再配線なしに整流され得る。
【００１３】
更なる好ましい実施形態では、整流器経路のそれぞれが２つのダイオードを含み、入力端子が２つのダイオード間の１つのノードにそれぞれ接続される。これは、入力端子の２つに接続される様々な交流電圧を整流するための汎用整流器ユニットを提供するための単純な解決策である。
【００１４】
更なる好ましい実施形態では、周波数フィルタが低周波入力電圧をフィルタするための高域フィルタである。これは、整流器ユニットに高周波を与えることができるように、及びピンセーフティのために幹線の低周波を遮断できるように、高周波バラストの動作周波数向けの低インピーダンス経路を与え、幹線周波数に大きいインピーダンスを与えるためのあり得る単純な形態である。
【００１５】
好ましい実施形態では、第１の入力端子が高域フィルタを介して互いに接続される。これは、第１の入力端子が幹線に接続される場合に電磁放出及びピーク電流の影響を減らすためのあり得る形態であり、高域フィルタが高周波電圧のために第１の入力端子の対間の低インピーダンスをもたらし、それにより、高周波バラストの高周波電圧が両方の第１の入力端子に与えられる。
【００１６】
好ましい実施形態では、周波数フィルタが、入力電圧を受け取るための第２の入力端子の対に接続される。これは、接続回路を瞬間点灯高周波バラストに接続するために、様々な高周波コネクタを接続回路に接続するためのあり得る形態である。
【００１７】
好ましい実施形態では、第２の入力端子の対が入力回路を介して周波数フィルタに接続され、入力回路が複数の抵抗を含む。接続回路によって置換されるランプのフィラメント抵抗が、この抵抗によって模倣され得る。
【００１８】
好ましい実施形態では、第１の入力端子の対が入力回路を介して整流器ユニットに接続され、入力回路が複数の抵抗を含む。これは、接続回路によって置換されるランプのフィラメント抵抗を少ない技術的労力で模倣するためのあり得る形態である。
【００１９】
更なる好ましい実施形態では、整流器ユニットが電磁干渉フィルタ装置を介してドライバ装置に接続される。これは、外部電源の電磁干渉からドライバ装置を保護し、外部電源に対するドライバ装置の電磁干渉の放出、及び空間への電磁場の放射を減らすためのあり得る単純な形態である。
【００２０】
好ましい実施形態では、電磁干渉フィルタ装置がインダクタンス及びコンデンサを含む。
【００２１】
更なる好ましい実施形態では、ドライバ装置が、負荷を駆動するための駆動電流を与えるためのＤＣ−ＤＣ変換器を含む。これは、整流器ユニットから受け取られる整流電圧を所要のＤＣ電圧水準に設定し、負荷を駆動するための駆動電流を与えるためのあり得る形態である。
【００２２】
好ましい実施形態では、周波数フィルタが、少なくとも１つの第２の入力端子と整流器ユニットとの間で直列接続される２つのコンデンサを含む。これは、冗長なコンデンサによってピンセーフティを高めるためのあり得る形態である。
【００２３】
更なる好ましい実施形態では、第１の入力端子の対が幹線電圧源に接続されるように適合される。これは、接続回路を直接幹線に接触させるためのあり得る形態である。
【００２４】
好ましい実施形態では、第１の入力端子の対及び少なくとも１つの第２の入力端子が、高周波バラスト回路に接続されるように適合される。これは、レトロフィットのための再配線が省略され得るように接続回路を高周波バラストに接続するためのあり得る形態である。
【００２５】
上記のように、本発明はドライバ装置を様々な電源に柔軟に接続するための接続回路を提供し、追加の再配線が省略され得る。再配線を回避するために、第１の入力端子及び第２の入力端子が単一の整流器ユニットに接続され、それにより入力端子のうちの２つに印加される様々な交流入力電圧が整流され得る。第２の入力端子は周波数フィルタを介して整流器ユニットに接続されるため、第２の入力端子は幹線電圧から接続を断たれ、入力端子の誤接続から接続回路が保護される。従って、柔軟なレトロフィットコネクタが提供され得る。
【００２６】
本発明のこれらの及び他の態様が以下で説明される実施形態から明らかになり、かかる実施形態に関して説明される。
【図面の簡単な説明】
【００２７】
【図１】電気機器及びその機器を様々な電源に接続するための接続回路の概略的ブロック図を示す。
【図２ａ】様々な電源への照明機器の接続を示す概略的配線図を示す。
【図２ｂ】様々な電源への照明機器の接続を示す概略的配線図を示す。
【図２ｃ】様々な電源への照明機器の接続を示す概略的配線図を示す。
【図３】ダミー入力端子を含む図１に示されている接続回路の一実施形態を示す。
【図４】図１に示されている接続回路の更なる実施形態を示す。
【図５】照明ユニットを駆動するためのドライバ装置の概略的ブロック図を示す。
【発明を実施するための形態】
【００２８】
図１は、１０で全体的に示されている接続回路の概略的ブロック図を示す。接続回路１０は、接続回路１０を外部電源１６に接続するための第１の入力端子１２、１４の対を含む。電源１６は、好ましくは第１の入力電圧として幹線電圧Ｖ１０を与える幹線である。以下で更に説明されるように、接続回路１０は、第２の入力電圧Ｖ２０を与える第２の外部電源２１に接続回路を接続するための第２の入力端子１８、２０の対を更に含む。第１の入力端子１２、１４及び第２の入力端子１８、２０は、第１の入力端子１２、１４から受け取られる交流入力電圧Ｖ１０、及び第２の入力端子１８、２０から受け取られる交流入力電圧Ｖ２０を整流するための整流器ユニット２２に接続される。整流器ユニット２２は、電磁干渉フィルタ装置２４を介してドライバ段２６に接続される。ドライバ段２６は、整流器ユニット２２から整流電圧Ｖ３０を受け取り、負荷２８を駆動するために出力電圧Ｖ４０及び駆動電流Ｉ１を負荷２８に与える。
【００２９】
整流器ユニット２２は、３つの並列な整流経路を含む複雑な整流器であり、第１の入力端子１２、１４は整流経路の第１の経路及び第２の経路にそれぞれ接続され、第２の入力端子１８、２０は整流経路の第３の経路に接続される。整流経路は、２つのダイオード３０、３２、３４、３６、３８、４０をそれぞれ含む。ダイオード３０〜４０は、幹線電圧Ｖ１０又は第２の外部電源２１から受け取られる高周波電圧Ｖ２０を整流するための高速ダイオードである。入力端子は、それぞれの整流経路のダイオード３０〜４０のうちの２つの間のノード４２、４４、４６にそれぞれ接続され、それにより、入力端子１２、１４、１８、２０のどれが外部電源１６、２１に接続されるかに応じて整流経路の２つが整流器をそれぞれ形成する。
【００３０】
第１の入力端子１２、１４は、入力回路４８を介して整流器ユニット２２に接続され、入力回路４８は、負荷２８によって置換されるランプのフィラメント抵抗と同様の抵抗値を有する電力抵抗器を含む。第２の入力端子１８、２０は互いに接続され、整流器ユニット２２のそれぞれの整流経路のノード４６にフィルタコンデンサ５０を介して接続される。フィルタコンデンサ５０は、０．５ｎ〜１０ｎＦの容量を有し、高域フィルタの役割を果たす。フィルタコンデンサ５０は、第２の外部電源２１によって与えられる概して＞２５ｋＨｚの高周波電圧では低インピーダンスを有し、それにより、高周波電流が第２の入力端子１８、２０から整流器ユニット２２へとフィルタコンデンサ５０を通過することができる。フィルタコンデンサ５０は、幹線周波数（５０Ｈｚ／６０Ｈｚ）では大きいインピーダンスを有し、その結果、幹線電圧Ｖ１０が第２の入力端子１８、２０へとフィルタコンデンサ５０を通過することができない。従って、第２の入力端子１８、２０がフィルタコンデンサ５０によって幹線電圧Ｖ１０から接続を断たれ、その結果、幹線からの漏洩電流及び第２の入力端子における電気ショックの危険が減らされる。
【００３１】
第２の入力端子１８、２０は、入力回路５２を介してフィルタコンデンサ５０に接続され、入力回路５２は、負荷２８によって置換されるべきランプのフィラメント抵抗と同様の抵抗値を有する電力抵抗器を含む。
【００３２】
第１の入力端子１２、１４は、入力コンデンサ５４を介して互いに接続される。入力コンデンサ５４は高域フィルタの役割を果たし、好ましくは＞１０ｎＦの容量を含む。入力コンデンサ５４は、第２の入力電圧Ｖ２０の高周波向けの低インピーダンス経路を第１の入力端子１２、１４間に与え、幹線電圧周波数に高インピーダンスを与える。第１の入力端子１２、１４が幹線１６に接続される場合、幹線電圧Ｖ１０が整流器ユニット２２に供給され、整流電圧Ｖ３０にそれぞれ変換される。第１の入力端子１２、１４の１つに高周波電圧が接続される場合、入力端子１２、１４によって同様の電位が整流器ユニット２２に与えられ、２つの入力端子１２、１４間の低インピーダンス経路（一部の種類のプログラムドスタートバラストが適切に機能するために必要である）がプログラムドスタートバラストに与えられるように、入力コンデンサ５４が第１の入力端子１２、１４間の接続の役割を果たし、高周波入力電圧が整流電圧Ｖ３０に整流されるように高周波電位がフィルタコンデンサ５０を介してノード４６に与えられる。
【００３３】
出力電圧Ｖ４０をフィルタし、負荷電流Ｉ１のリップルを減らすためにドライバ段２６がフィルタコンデンサ５６を介して負荷２８に接続される。
【００３４】
負荷２８を駆動するために接続回路１０がドライバ段２６に接続される。負荷２８は、好ましくはより好ましい１つ又は複数のＬＥＤを含む照明ユニット２８であり、これにより接続回路１０、ドライバ段２６、及び照明ユニット２８が照明機器６０を形成する。照明機器６０は、蛍光ランプをレトロフィットランプとして置換することができ、蛍光ランプの再配線が省かれ得るように入力端子１２、１４、１８、２０が幹線１６又は高周波バラストに柔軟に接続され得る。
【００３５】
図２ａ〜図２ｃは、様々な電源への照明機器６０の異なる接続を概略的に示す。
【００３６】
図２ａは、照明機器６０が幹線１６に直接接続されている配線図を示す。電力は接続回路１０の第１の入力端子１２、１４だけに与えられ、第２の入力端子１８、２０には給電されない。この事例では、フィルタコンデンサ５０が幹線電圧Ｖ１０のための高インピーダンスを有し、そのため、電気ショックを引き起こし得る第２の入力端子１８、２０への電圧供給はない。
【００３７】
図２ｂは、瞬間点灯高周波バラスト６２に接続される照明機器６０の配線図を示す。瞬間点灯バラスト６２は幹線１６に接続される。瞬間点灯バラスト６２は、ランプソケットによって短絡される第１の入力端子１２、１４に、及びランプソケットによって同じく短絡される第２の入力端子１８、２０に接続される２つの出力端子６４、６６を含む。従って、高周波電圧Ｖ２０が第１の入力端子１２、１４及び第２の入力端子１８、２０に直接与えられ、ドライバ段２６に整流電圧Ｖ３０を与えるために整流器ユニット２２によって整流される。
【００３８】
図２ｃは、照明機器６０がプログラムドスタート高周波バラスト６８に接続される配線図を示す。プログラムドスタート高周波バラスト６８は、照明機器６０の第１の入力端子１２、１４及び第２の入力端子１８、２０のそれぞれに別々に接続される２対の出力端子６７、６９を含む。プログラムドスタート高周波バラスト６８は、高電圧を活性化する前に照明機器６０を予熱するための加熱電流を与え、それにより照明機器６０の寿命が延ばされる。第１の入力端子１２、１４が入力コンデンサ５４の低インピーダンスによって高周波電圧のために接続され、第２の入力端子１８、２０が互いに接続されるため、予熱及び負荷２８を駆動するための２つの異なる電圧が整流器ユニット２２を介してドライバ段２６にそれぞれ与えられる。
【００３９】
従って、接続回路１０は照明機器６０を幹線１６又は様々なバラスト回路６２、６８に接続するための柔軟な可能性を提供し、接続回路１０はフィルタコンデンサ５０によって損傷又は電気ショックを防ぐ。
【００４０】
図３は、図１に示されている接続回路１０及び照明機器６０の一実施形態を示す。同じ要素は同じ参照番号によって示されており、ここでは違いだけが詳細に説明される。
【００４１】
この事例では、負荷２８が３つのＬＥＤを含むＬＥＤチューブ２８として形成される。大電流及び誤接続から接続回路を保護するために、第１の入力端子１２がヒューズ７０を介して整流器ユニット２２のノード４２に接続される。第２の入力端子１８はダミーコネクタであり、接続回路１０の構成要素から電気的に接続を断たれる。上記のように第２の入力端子２０を幹線電圧Ｖ１０から保護するために、第２の入力端子２０が２つのフィルタコンデンサ７２、７４を介して整流器ユニット２２のノード４６に接続される。２つのフィルタコンデンサ７２、７４の一方が故障した場合の安全性を改善するために、２つのフィルタコンデンサ７２、７４は互いに直列接続される。
【００４２】
電磁干渉フィルタ装置２４は、ドライバからの電磁干渉の放出を減らすためのコンデンサ７６及びインダクタンス７８を含む。
【００４３】
従って、図３に示されている照明機器６０は、ヒューズ７０及び接続を断たれた第２の入力端子１８によって誤接続から保護される。
【００４４】
図４は、図１に示されている接続回路１０及び照明機器６０の更なる実施形態を示す。同じ要素は同じ参照番号によって示されており、ここでは違いだけが詳細に説明される。
【００４５】
第１の入力端子１２、１４が入力回路４８を介して整流器ユニット２２に接続される。入力回路４８は、ヒューズ７０及び２つの抵抗８０、８２を含む。入力コンデンサ５４は、入力回路４８の一部であり得る。入力回路４８の抵抗８０、８２は、照明機器６０によって置換されるべき蛍光ランプのフィラメント抵抗と同様の抵抗値を有する。接続される照明機器６０の入力抵抗が外部電源の設計対象である負荷と同様であるため、入力回路４８によって外部電源が適切に機能する。
【００４６】
第２の入力端子１８、２０が入力回路５２を介して、及びフィルタコンデンサ７２、７４を介してノード４６に接続される。入力回路５２は、第２の入力端子１８、２０を互いに及びフィルタコンデンサ７２、７４に接続するための２つの抵抗８４、８６及びヒューズ８８を含む。ヒューズ８８は、第２の入力端子１８を抵抗８４経由でフィルタコンデンサ７２、７４に接続する一方、抵抗８６は第２の入力端子２０をフィルタコンデンサ７２、７４に接続する。抵抗８４、８６の抵抗値は蛍光ランプのフィラメント抵抗と同様であり、そのため同様のフィラメント抵抗により高周波バラスト回路６２、６８が適切に機能する。
【００４７】
ヒューズ７０及びヒューズ８８により、図４に示されている接続回路１０が誤接続から更に保護される。
【００４８】
図５は、負荷２８、具体的にはＬＥＤチューブ２８を駆動するためのドライバ段２６の好ましい実施形態を示す。ドライバ段２６は、好ましくは図５に示されている昇降圧パワーコンバータであるスイッチモード電源（ＳＭＰＳ：switching mode power supply）ドライバとして形成される。ドライバ段２６は、図５に示されているように負荷２８、具体的にはＬＥＤユニット２８を駆動するための出力電圧Ｖ４０及び出力電流Ｉ１を与えるために、入力コンデンサ９０、インダクタンス９２、ダイオード９４、出力コンデンサ９６、及び制御可能スイッチ９８を含む。図５に示されている昇降圧コンバータは、幅広い入力電圧範囲及び幅広い出力電圧範囲に適合し、そのため負荷２８を駆動するための所望の駆動電圧Ｖ４０に様々な入力電圧Ｖ３０が設定され得る。幹線電圧Ｖ１０が高周波バラスト出力電圧Ｖ２０と異なるため、昇降圧コンバータが好ましい。代替的実施形態では、ドライバ段２６が昇圧コンバータ、降圧コンバータ、又はフライバックパワーコンバータとして形成される。
【００４９】
接続回路１０が幹線１６に直接接続される場合、ドライバ段２６によって整流電圧Ｖ３０が出力電流Ｉ１としてＤＣ電流に変換される。接続回路１０が高周波バラスト回路６２、６８の１つに接続される場合、整流器ユニット２２によって高周波電流が整流され、ＤＣ出力電流Ｉ１に変換される。高周波バラストは電流源として機能し、幹線が電圧源として機能するため、２つの接続モードは異なる。一定のＬＥＤ電流を維持するために、スイッチモード電源ドライブ２６の制御ループは、接続された幹線１６又は接続された高周波バラスト６２、６８に合わせて自らの制御方式を適合させる。
【００５０】
本発明が図面及び上記の説明の中で詳細に図示され説明されてきたが、かかる図面及び説明は限定的ではなく説明的又は例示的と見なされるべきであり、本発明は開示された実施形態に限定されない。特許請求の範囲に記載の本発明を実施する際、図面、本開示、及び添付の特許請求の範囲を検討することにより、開示された実施形態に対する他の改変形態が当業者によって理解され、もたらされ得る。
【００５１】
特許請求の範囲では、「含む」という語は、他の要素又はステップを排除せず、不定冠詞「１つの（a）」又は「１つの（an）」は複数形を排除しない。単一の要素又は他のユニットが、特許請求の範囲の中で挙げられる幾つかのアイテムの機能を果たすことができる。或る手段が互いに異なる従属請求項の中で列挙されるという単なる事実は、それらの手段の組合せが有利に使用されてはならないことを示すものではない。
【００５２】
特許請求の範囲の中の如何なる参照符号も、範囲を限定するものとして解釈すべきではない。
【図１】
0006328235.tif 000002
【図２ａ】
0006328235.tif 000003
【図２ｂ】
0006328235.tif 000004
【図２ｃ】
0006328235.tif 000005
【図３】
0006328235.tif 000006
【図４】
0006328235.tif 000007
【図５】
0006328235.tif 000008